(57)【要約】【課題】デジタル放送用ダイバーシティ受信装置は、弱電界環境では受信感度が向上できるが、通常のデジタル放送用受信装置と比較して受信回路を２系統動作させる必要があるため、消費電力が大きい。また、強電界環境ではダイバーシティ動作による特性向上効果が得られず、選局回路における歪が発生し受信動作が劣化する。【解決手段】ダイバーシティ動作を弱電界環境にあるときのみ動作させ、受信信号の電界強度が所定値以上のときはダイバーシティ動作を止め、選局回路の前段に利得可変回路を配置し、受信信号の電界強度が所定値以上なら利得可変回路の利得を小さくし、選局回路において歪を発生させない。【選択図】図１
2009182781.tif 000002
【特許請求の範囲】
【請求項１】
第１の信号入力端子と、第２の信号入力端子と、前記第１の信号入力端子に入力される信号の選局処理を行なう第１の選局回路と、前記第２の信号入力端子に入力される信号の選局処理を行なう第２の選局回路と、前記第１の選局回路が出力する信号に復調処理を施す第１の復調回路と、前記第２の選局回路が出力する信号に復調処理を施す第２の復調回路を備え、前記第１の復調回路と前記第２の復調回路が出力する信号をダイバーシティ合成してデジタル圧縮されたデジタルデータ信号を出力する合成回路と、該デジタルデータ信号にデジタル伸張処理を施す信号処理回路と、映像音声処理回路と、中央演算処理回路と、を少なくとも備えたデジタル放送用ダイバーシティ受信装置において、
前記中央演算処理回路は、前記第１の復調回路に入力される信号のレベルが第１のしきい値以上の場合には、前記合成回路を制御して、ダイバーシティ合成を行わずに前記第１の復調回路から供給された信号をもとにデジタルデータ信号を出力すると共に、前記第２の選局回路と前記第２の復調回路の動作を停止することを特徴とするダイバーシティ受信装置。
【請求項２】
請求項１に記載のダイバーシティ受信装置において、前記中央演算処理回路は、前記第１の復調回路に入力される信号のレベルが第１のしきい値未満の場合には、前記合成回路を制御して、ダイバーシティ合成を行ない前記第１の復調回路から供給された信号をもとにデジタルデータ信号を出力することを特徴とするダイバーシティ受信装置。
【請求項３】
請求項１乃至請求項２に記載のダイバーシティ受信装置において、
前記第１の信号入力端子と前記第１の選局回路の間に、前記第１の復調回路から入力される利得制御信号を受けて、前記第１の信号入力端子に入力される信号の利得を、第１の利得と該第１の利得より小さい第２の利得のどちらかに切替えて出力する利得制御回路を備え、
前記第１の復調回路は、前記第１の復調回路に入力される信号のレベルが第２のしきい値以上の場合には、前記利得制御回路が前記第１の信号入力端子から入力される信号を前記第２の利得によって前記第１の受信回路に出力するように利得制御することを特徴とするダイバーシティ受信装置。
【請求項４】
請求項１乃至請求項３に記載のダイバーシティ受信装置において、
前記第１の復調回路は、前記第１の復調回路に入力される信号のレベルが前記第２のしきい値未満の場合には、前記利得制御回路が前記第１の信号入力端子から入力される信号を前記第１の利得によって前記第１の受信回路に出力することを特徴とするダイバーシティ受信装置。
【請求項５】
請求項１乃至請求項４に記載のダイバーシティ受信装置において、
前記中央演算処理装置は、ダイバーシティ動作を行わずかつ前記第２の選局回路と前記第２の復調回路の動作を停止した状態からダイバーシティ動作に切替える場合には、前記第１の復調回路に入力される信号のレベルが前記第１のしきい値より小さい第３のしきい値未満の場合に、前記合成回路を制御して、ダイバーシティ合成を行ない前記第１の復調回路から供給された信号をもとにデジタルデータ信号を出力することを特徴とするダイバーシティ受信装置。
【請求項６】
請求項１乃至請求項５に記載のダイバーシティ受信装置において、
前記第１の復調回路は、前記利得制御回路が前記第１の信号入力端子から入力される信号を前記第１の利得によって前記第１の受信回路に出力する状態から、前記第２の利得に切替える場合には、前記第１の復調回路に入力される信号のレベルが前記第２のしきい値より小さい第４のしきい値未満の場合に、前記利得制御回路を制御して前記第１の信号入力端子から入力される信号を前記第２の利得によって前記第１の受信回路に出力するように利得制御することを特徴とするダイバーシティ受信装置。
【請求項７】
請求項２乃至請求項６に記載のダイバーシティ受信装置において、前記第２の利得が前記第１の信号入力端子から入力される信号のレベルに応じて可変されることを特徴とするダイバーシティ受信装置。
【発明の詳細な説明】
【技術分野】
【０００１】
本発明は地上デジタル放送などのデジタル放送を受信する装置に関し、特に複数系統の選局回路とデジタル復調回路を備えダイバーシティ受信を行なうデジタル放送用受信装置に関する。
【背景技術】
【０００２】
国内における地上デジタル放送は、２００３年に開始され、現在は放送エリアを拡大しつつ視聴者数を伸ばしている状況にある。地上デジタル放送は、デジタル変調方式として、ＯＦＤＭ（ Orthogonal Frequency Division Multiplexing ）変調方式を採用している。ＯＦＤＭ変調方式は、移動体受信に優れることと、チャネル帯域の一部分のみを用いて伝送され受信機の低消費電力化が可能な１セグメント放送と呼ばれる移動体向け放送が可能である。この１セグメント放送も２００６年にサービス開始されており、家庭用テレビジョン受信装置だけではなく、車載用途、携帯電話用途などの移動体受信装置の市場が期待されている。
【０００３】
地上デジタル放送を受信する上において、特に移動体用の受信装置では、アンテナと選局回路とデジタル復調回路を複数系統備え、各系統の受信信号に最大比合成技術などを適用し受信感度の向上を図ったダイバーシティ受信技術が用いられたものが製品として出荷されている。
ダイバーシティ受信技術を用いた受信装置の例が特許文献１に記載されている。
【０００４】
【特許文献１】特開２００７−４３６０９号公報
【発明の開示】
【発明が解決しようとする課題】
【０００５】
地上デジタル放送は、移動体における受信にも適した放送方式であり、車載用途、携帯電話用途、等にダイバーシティ受信技術を組込んだダイバーシティ受信装置が製品として出荷されている。
移動体用の受信機（以降、移動体受信機と称する）の特徴として、据置き型の受信機（以降、固定受信機と称する）とは異なり、移動体が放送局から離れた地域等の放送電波の電界強度の弱い地域（弱電界環境）から、放送局近傍の電界強度が極めて強い地域（強電界環境）まで、広範囲で移動することができるため、受信電界強度のダイナミックレンジを広く取ることが必要である。
なお、このような受信電界強度の広ダイナミックレンジ化の必要性は、固定受信機、例えば、家庭内に設置された、テレビ受像機、若しくはチューナ内蔵の記録装置、等では考慮する必要はない。
【０００６】
合成ダイバーシティ受信技術等のダイバーシティ受信技術は、弱電界環境における受信特性の向上に有効な技術であるが、強電界環境における受信特性の向上には効果がない。このため、強電界環境において入力された信号が、選局回路で歪みを発生させて受信特性を劣化させ、映像におけるブロックノイズや音声にける雑音の発生などの原因となる可能性がある。
このような状況を防ぐため、弱電界環境に適したダイバーシティ受信技術を備える受信装置であると共に、強電界環境でも好適な受信特性を実現する受信装置が望まれる。
【０００７】
また、移動体用のデジタル放送用受信機では、移動体端末に搭載するため、小型化の要求と、バッテリーで長時間駆動させるための低消費電力化要求とがある。
従って、高周波信号入力端子から、復調部及びダイバーシティ合成部に至るまでの高周波ブロックに関して、据置き型テレビ受像機等の固定受信機に用いられる同様の高周波ブロックと比較すると、移動体受信機では小型化と低消費電力化を図る必要がある。
【０００８】
本発明の目的は、上記の問題に鑑み、受信信号電界強度が大きくとも受信特性が劣化することがない好適な受信動作を実現するダイバーシティ受信を行うデジタル放送用受信装置、即ち、移動体におけるダイバーシティ受信装置を提供することにある。
【課題を解決するための手段】
【０００９】
上記の目的を達成するために、本発明のダイバーシティ受信装置は、第１の信号入力端子と、第２の信号入力端子と、前記第１の信号入力端子に入力される信号の選局処理を行なう第１の選局回路と、前記第２の信号入力端子に入力される信号の選局処理を行なう第２の選局回路と、前記第１の選局回路が出力する信号に復調処理を施す第１の復調回路と、前記第２の選局回路が出力する信号に復調処理を施す第２の復調回路を備え、前記第１の復調回路と前記第２の復調回路が出力する信号をダイバーシティ合成してデジタル圧縮されたデジタルデータ信号を出力する合成回路と、該デジタルデータ信号にデジタル伸張処理を施す信号処理回路と、映像音声処理回路と、中央演算処理回路と、を少なくとも備えたデジタル放送用ダイバーシティ受信装置において、前記中央演算処理回路は、前記第１の復調回路に入力される信号のレベルが第１のしきい値以上の場合には、前記合成回路を制御して、ダイバーシティ合成を行わずに前記第１の復調回路から供給された信号をもとにデジタルデータ信号を出力すると共に、前記第２の選局回路と前記第２の復調回路の動作を停止するものである。
【００１０】
また好ましくは、上記本発明のダイバーシティ受信装置は、前記中央演算処理回路は、前記第１の復調回路に入力される信号のレベルが第１のしきい値未満の場合には、前記合成回路を制御して、ダイバーシティ合成を行ない前記第１の復調回路から供給された信号をもとにデジタルデータ信号を出力するものである。
また好ましくは、上記本発明のダイバーシティ受信装置は、前記第１の信号入力端子と前記第１の選局回路の間に、前記第１の復調回路から入力される利得制御信号を受けて、前記第１の信号入力端子に入力される信号の利得を、第１の利得と該第１の利得より小さい第２の利得のどちらかに切替えて出力する利得制御回路を備え、前記第１の復調回路は、前記第１の復調回路に入力される信号のレベルが第２のしきい値以上の場合には、前記利得制御回路が前記第１の信号入力端子から入力される信号を前記第２の利得によって前記第１の受信回路に出力するように利得制御するものである。
また好ましくは、上記本発明のダイバーシティ受信装置は、前記第１の復調回路は、前記第１の復調回路に入力される信号のレベルが第２のしきい値未満の場合には、前記利得制御回路が前記第１の信号入力端子から入力される信号を前記１の利得によって前記第１の受信回路に出力するものである。
また好ましくは、上記本発明のダイバーシティ受信装置の前記中央演算処理装置は、ダイバーシティ動作を行わずかつ前記第２の選局回路と前記第２の復調回路の動作を停止した状態からダイバーシティ動作に切替える場合には、前記第１の復調回路に入力される信号のレベルが前記第１のしきい値より小さい第３のしきい値未満の場合に、前記合成回路を制御して、ダイバーシティ合成を行ない前記第１の復調回路から供給された信号をもとにデジタルデータ信号を出力するものである。
また好ましくは、上記本発明のダイバーシティ受信装置の前記第１の復調回路は、前記利得制御回路が前記第１の信号入力端子から入力される信号を前記第１の利得によって前記第１の受信回路に出力する状態から、前記第２の利得に切替える場合には、前記第１の復調回路に入力される信号のレベルが前記第２のしきい値より小さい第４のしきい値未満の場合に、前記利得制御回路を制御して前記第１の信号入力端子から入力される信号を前記第２の利得によって前記第１の受信回路に出力するように利得制御するものである。
また好ましくは、上記本発明のダイバーシティ受信装置は、前記第２の利得が前記第１の信号入力端子から入力される信号のレベルに応じて可変されるものである。
【発明の効果】
【００１１】
本発明によれば、デジタル放送をダイバーシティ受信する移動体受信機において、受信信号電界強度が大きい場合でも、受信特性が劣化することがない好適な受信動作が実現可能である。
【発明を実施するための最良の形態】
【００１２】
本発明の一実施形態では、ダイバーシティ受信機能のために備えている第１と第２の選局回路と復調回路のうち、第２の選局回路と第２の復調回路は、動作を停止できる機能を備える。また、ダイバーシティ合成を行なう合成回路は、第１と第２の復調回路が出力する信号をダイバーシティ合成してデジタルデータとして出力する機能と、ダイバーシティ動作をせずに第１の復調回路が出力する信号のみをデジタルデータとして出力する機能とを選択的に実行する機能を備える。このための判定機能を第１と第２の復調回路は備えている。
また、第１の選局回路の前段に利得可変回路が配置され、この利得可変回路の利得は、通常の動作状態と比較して、受信信号の電界強度がある値より大きい場合には利得が最小状態となる。このための判定機能を第１の選局回路は備えている。
以下、添付図面を参照しながら、本発明の実施形態を詳細に説明する。なお、各図において、共通な機能を有する構成要素には同一の参照番号を付し、できるだけ説明の重複を避けるため、説明を省略する。
【実施例１】
【００１３】
図１を参照して、本発明のダイバーシティ受信装置の一実施例の動作を説明する。図１は、本発明になるデジタル放送用ダイバーシティ受信装置の実施例１の構成を示すブロック図である。１００はデジタル放送用ダイバーシティ受信装置、１ａは第１の高周波信号入力端子、１ｂは第２の高周波信号入力端子、２は利得可変回路、３ａは第１の選局回路（選局１）、３ｂは第２の選局回路（選局２）、３ｃは第１の選局回路３ａ内の判定回路、４ａは第１の復調回路（復調１）、４ｂは第２の復調回路（復調２）、５はダイバーシティ合成回路、６は信号処理回路（Ｂ／Ｅ）、７は映像音声信号処理回路（Ａ／Ｖ）、８は中央演算処理回路（ＣＰＵ：Central Processing Unit ）、９ａは第１の選局回路３ａと第１の復調回路４ａから成る受信回路、９ｂは第２の選局回路３ｂと第２の復調回路４ｂから成る受信回路である。
【００１４】
図１において、まず、通常のテレビ視聴時の動作について説明する。
放送局から送信される放送信号は、図示しないアンテナで受信され、第１の高周波信号入力端子１ａを介してデジタル放送用受信装置１００に入力され、利得可変回路２を介して、第１の選局回路に供給される。
デジタル放送システムは、周波数分割された複数の放送チャネルがあり、アンテナは通常全ての放送チャネル信号を受信する。
【００１５】
日本における地上デジタル放送は、ＵＨＦ（ Ultra High Frequency ）帯の４７０［MHz］から７７０［MHz］の周波数の信号が用いられ、１つのチャネルは６［MHz］の帯域があり、合計５０本の周波数チャネルが存在する。
第１の選局回路３ａは、第１の高周波信号入力端子１ａ及び利得可変回路２を介して供給された複数の周波数チャネルを含む信号の中から、ユーザが図示しない操作器を操作することによって、ユーザが視聴を所望する周波数チャネルのみを後段の第１の復調回路４ａの動作に適した所定の周波数信号に変換する選局動作を行ない、ユーザが視聴を所望する周波数チャネルの信号（受信所望周波数チャネル信号）を第１の復調回路４ａに出力する。また同様に、第２の選局回路３ｂも、ユーザが視聴を所望する周波数チャネルの信号（第１の選局回路３ａと同じ受信所望周波数チャネル信号）を第２の復調回路４ｂに出力する。
ユーザが視聴を所望する周波数チャネル以外の信号は、テレビ視聴の障害となる可能性があるため、周波数変換動作と合わせて選局回路３ａにおいて図示しないフィルタ回路などにより除去される。
第１の復調回路４ａは、入力された受信所望周波数チャネル信号をデジタル復調し、ダイバーシティ合成回路５に出力する。
【００１６】
図示しないアンテナで受信されるデジタル放送の信号は、アンテナの位置、周辺の環境、放送局からの距離などの条件により、受信電力（受信信号電界強度）が大きく異なることが一般的である。
安定な受信動作のためには、復調回路に入力される信号電力レベルを一定に保つ必要がある。このため、第１の選局回路３ａと第１の復調回路４ａで構成される第１の受信回路９ａには、図示しないアンテナに入力される放送信号の電力が異なっても第１の復調回路４ａに入力される信号電力レベルが一定の値になるように自動利得制御（ＡＧＣ：Auto Gain Control ）機能が備えられ、第１の復調回路４ａに入力される信号電力レベルを所定の範囲内の値に保っている。
【００１７】
放送局から送信される放送信号は、第１の高周波信号入力端子１ａで受信される他、第２の高周波信号入力端子１ｂにも、図示しない別のアンテナで入力される。第２の高周波信号入力端子１ｂは、第２の受信回路（第２の選局回路３ｂと第２の復調回路４ｂ）９ｂに出力し、第２の受信回路９ｂは、受信した放送信号について、上記第１の受信回路９ａで為される処理と同様に処理して、入力された受信所望周波数チャネル信号をデジタル復調し、ダイバーシティ合成回路５に出力する。
【００１８】
ダイバーシティ合成回路５は、入力された第１の復調回路４ａ及び第２の復調回路４ｂそれぞれから出力される信号について、最大比合成等のダイバーシティ合成処理を行い、更に、図示しない誤り訂正等の処理を行いトランスポートストリーム信号と呼ばれるデジタルデータとして、信号処理回路６に出力する。
信号処理回路６は、入力されたトランスポートストリーム信号における多重化されたストリームを分離（ Demultiplexing ）し、デジタル圧縮された映像信号と音声信号に対する伸張処理を行い、伸張処理された信号を映像音声処理回路７に出力する。映像音声処理回路７は、入力された信号について、音声信号を図示しないスピーカなどから出力し、映像信号を図示しないモニタなどから出力する。
【００１９】
アナログ放送では、受信信号の品質の劣化に従い、映像や音声が徐々に劣化していく特徴がある。
それに対して、デジタル信号は、受信信号の品質が一定の値以上であれば、信号品質の劣化を受けずにノイズのない映像と音声をユーザに提供できる特徴がある。しかし、デジタル信号は、受信信号の品質が、ある一定の値を下回ると突然映像と音声が再生されなくなる特徴を併せ持っている。
選局回路と復調回路は、１系統だけでも通常の映像音声の再生には問題はないが、車載用デジタル放送用受信装置のように、移動しながらデジタル放送を視聴する場合、受信信号の品質が安定せず、映像と音声が視聴中に途切れてしまうことがある。
上述した最大比合成処理等のダイバーシティ処理は、処理後の信号品質を処理前の信号品質より向上させる効果があり、例えばダイバーシティ合成回路５によって第１の受信回路９ａと第２の受信回路９ｂからの信号を合成することによって、１系統のみの受信回路で動作させる場合に比較して、受信特性の向上を図ることができる。
【００２０】
選局回路と復調回路で構成される受信回路９ａと９ｂは、それぞれ、デジタル放送用受信装置１００に設けられるＣＰＵ８と制御バスで接続されており、電源投入後の初期化設定、動作状態安定化などの処理を受けている。
ユーザが、視聴する番組を変更する場合、リモコンなどを操作して行い、ユーザの当該操作に応じた信号が、デジタル放送用受信装置１００のＣＰＵ８に入力される。ＣＰＵ８は、この操作用の信号を受けて、第１の受信回路９ａと第２の受信回路９ｂでは、第１の選局回路３ａと第２の選局回路３ｂの動作を制御する。この制御に応じて、第１の選局回路３ａと第２の選局回路３ｂは、それぞれ、所望の番組が含まれる同一の周波数チャネルを選局して、それぞれの復調回路４ａ若しくは４ｂに出力し、それぞれの復調回路４ａと４ｂが復調信号をダイバーシティ合成回路５に出力する。
【００２１】
第１の選局回路３ａと第２の選局回路３ｂは、それぞれ、高周波回路を含むため、制御バスによるノイズを避ける必要がある。このため選局回路３ａ、３ｂは、制御バスには直接接続せず、復調回路４ａ若しくは４ｂを介して制御バスに接続する。
第１の受信回路９ａと第２の受信回路９ｂでは、それぞれ、選局動作を行なう必要があるときのみ、第１の復調回路４ａと第２の復調回路４ｂがそれぞれ制御バスをスイッチングして制御バスを対応する第１の選局回路３ａと第２の選局回路３ｂに接続し、そして選局動作が終了すると制御バスをそれぞれの選局回路から切り離している。
【００２２】
なお、選局時の制御が煩雑になる欠点があるため、制御バスによるノイズを考慮しなければ、図１に示す構成ではなく、第１の選局回路３ａと第２の選局回路３ｂをＣＰＵ８からの制御バスと直接接続しても良い。
直接接続した場合は、第１の復調回路４ａと第２の復調回路４ｂを介した制御をする必要がなくなるため選局時の制御を簡易化することができる。
【００２３】
ダイバーシティ動作（ダイバーシティ処理動作）は、受信機の弱電界受信感度などの向上に効果がある機能であり、図示しないアンテナに入力される地上デジタル放送信号の信号電力レベルが小さい場合にも安定な受信動作を実現するために必要な機能である。しかし、２系統の受信回路（選局回路と復調回路）からそれぞれ得られる２系統の信号を合成してダイバーシティ動作をするためには、２系統の選局回路と復調回路を常に動作させておく必要がある。
移動体受信機は、バッテリー動作を考慮するため、その消費電力を極力抑える必要があり、ダイバーシティ動作はこの消費電力低減要求とは逆行してしまう。
【００２４】
このため、本発明の一実施形態では、図示しないアンテナに入力される地上デジタル放送信号の信号電力レベルが、１系統の選局回路と復調回路で安定な受信動作が維持できるほど大きい場合には、ダイバーシティ動作を行なわず、第１の選局回路３ａと第１の復調回路４ａから得られる信号のみを用いてトランスポートストリーム信号を生成し、このとき第２の選局回路３ｂと第２の復調回路４ｂは停止させる。
そして、受信電力レベルが小さく、１系統では十分な受信動作ができないため、トランスポートストリームにエラーが多く含まれる場合には、２系統の選局回路と復調回路を動作させてダイバーシティ動作を行ない弱電界感度の改善を図る。
【００２５】
上記の動作を実行することにより、ダイバーシティ動作を行なわないと正常な受信動作が得られないほど受信信号の信号電力レベルが小さい場合を除いて、選局回路と復調回路が１系統の動作のみで受信動作が行なわれ、常に２系統の選局回路と復調回路を動作させる場合に比較して消費電力の低減が可能である。
【００２６】
すでに述べたように、移動体受信機は、移動可能であるため受信地域が一定ではなく、地上デジタル放送の放送電波を出力する放送局あるいは中継局などの近傍にいる場合は、デジタル放送受信機に入力される信号電力が非常に強大になる可能性がある。
受信信号の信号電力レベルが大きい場合には、選局回路において歪みが発生し易く、トランスポートストリームにエラーが含まれてしまう原因となる。このため、受信信号の電力レベルが大きい場合にも選局回路において歪みが発生しない構成が必要である。本発明は、この対策として、図１に示すように利得可変回路２を備えている。
以下、本発明の特徴である利得可変回路２の動作について説明する。
【００２７】
利得可変回路２は、入力信号の利得を調整するための２通りの動作状態を有し、動作状態の１つは利得大の動作状態であり。他の１つは利得小の動作状態である。利得可変回路２は、この２つの動作状態を外部から入力される制御信号により切替えて、何れか一方の動作状態が選択され実行される。
例えば、利得大の動作状態では、利得が１倍の動作を行う。即ち、利得可変回路２に入力された受信信号は、そのままの電力レベルで第１の選局回路３ａに出力される。
また例えば、利得小の動作状態では、利得可変回路２に入力された受信信号は、利得可変回路２内で減衰されて第１の選局回路３ａに出力される。即ち、利得可変回路２が利得大の動作状態のまま、第１の選局回路３ａに出力すると、この信号電力で第１の選局回路３ａにおいて歪みが発生してしまうほど受信信号の電力レベルが大きい場合には、利得可変回路２は利得小の動作状態で動作し、歪みの発生を抑える。
【００２８】
即ち、第１の高周波信号入力端子１ａから入力される受信信号の電力レベルが小さい場合には、利得可変回路２は利得大の動作状態で動作する。この状態では、第１の選局回路３ａには十分な電力の高周波信号が供給され、安定な受信動作が維持される。
また、第１の高周波信号入力端子１ａから入力される受信信号の電力レベルが大きい場合には、利得可変回路２は利得小の動作状態で動作する。即ち、利得可変回路２は、第１の高周波信号入力端子１ａに入力された高周波信号を減衰させて第１の選局回路３ａに供給する。
この切替動作により、第１の選局回路３ａで歪みが発生するほど受信信号の電力レベルが大きい場合でも、利得可変回路２が外部からの制御を受けて利得小の状態で動作する。これにより、第１の選局回路３ａでは歪みが発生することなく、安定な受信動作を維持することができる。
【００２９】
利得可変回路２の動作状態を制御するための利得制御信号は、第１の選局回路３ａから供給される。第１の選局回路３ａは、入力された信号の電力レベルを検出して評価する機能（例えば、判定回路３ｃ）を、内部に備える。なお、この機能として、既に説明したＡＧＣ動作の動作状態を流用することもできる。
第１の選局回路３ａに入力された高周波信号の電力レベルが、内部で信号の歪みを発生するほどの信号電力レベルに達しているか否かを、第１の選局回路３ａは、この評価機能（判定回路３ｃ）により判定する。
第１の選局回路３ａは、第１の高周波信号入力端子１ａが受信した高周波信号の電力レベルが、第１の選局回路３ａで歪みを発生させるほど強大な場合には、利得可変回路２の動作状態を利得小とするように利得可変回路２の状態を制御する制御信号を生成し、利得可変回路２に供給する。利得小のレベルは、例えば、０．５倍等所定の値でも良いし、検出されたレベルに応じて可変しても良い。
また、第１の選局回路３ａは、第１の高周波信号入力端子１ａが受信した高周波信号の電力レベルが、第１の選局回路３ａで歪みを発生させないレベルであれば、利得可変回路２の動作状態を利得大とするように、第１の選局回路３ａは利得可変回路２の状態を制御する制御信号を生成し、利得可変回路２に供給する。
【００３０】
なお、好ましくは、この判定において、利得可変回路２の動作状態を、大から小に切替える条件と、小から大に切替える条件とを同一にした場合、状態が安定せず２つの状態を常に遷移し続けてしまうため、ヒステリシス特性を持たせる必要がある。
【００３１】
以上説明した一連の動作を、図２に示すフローチャートと図３に示すヒステリシスの図を用いて、以下に説明する。図２は、本発明のダイバーシティ受信装置の受信動作の一実施例を説明するためのフローチャートである。また図３は、本発明のダイバーシティ受信装置のヒステリシス特性の一実施例を説明するための図である。  以下のフローチャートの実行については、ＣＰＵ８が受信装置１００の各構成要素を制御を行う。
【００３２】
ステップＳ２０２では、ＣＰＵ８は、第１の受信回路９ａと第２の受信回路９ｂについて、初期設定として選局選定、同期引込処理などの受信装置の動作状態安定化などの処理を行う。また、動作状態をダイバーシティ動作、利得可変回路の利得大とする。
【００３３】
ステップＳ２０３では、第１の受信回路９ａの第１の選局回路３ａは、入力された受信信号の電力レベルがダイバーシティ受信をする必要があるほど低いか否かの判定（Ｌ＜ｔ１？）を行ない、判定結果をＣＰＵ８に出力する。ここでは、受信信号の電力レベルをＬとし、ダイバーシティ動作を行なわないと受信動作が維持できなくなる受信信号の電力レベルのしきい値をｔ１としている。即ち、受信信号の電力レベルＬがしきい値ｔ１未満の場合はステップＳ２０４ｂの処理に移行し、しきい値ｔ１以上であればステップＳ２０４ａの処理に移行する。
【００３４】
ステップＳ２０４ｂでは、そのままダイバーシティ動作を行ない、再びステップＳ２０３に移行し、上記処理を繰り返すことで、受信信号の電力レベルＬがしきい値ｔ１以上にならないか否かを常に判定し続ける。
また、ステップＳ２０４ａでは、受信信号の電力レベルＬがしきい値ｔ１を上回った場合の処理動作で、ダイバーシティ動作を行なう必要がないので、非ダイバーシティ動作に受信装置の動作状態を切替え、ステップＳ２０５の処理に移行する。このとき、第２の選局回路３ｂと第２の復調回路４ｂから構成される第２の受信回路９ｂは、ＣＰＵ８の制御によって動作を停止し、消費電力を低減する。
【００３５】
次に、ステップＳ２０５では、第１の受信回路９ａの第１の選局回路３ａは、利得可変回路２から入力される信号から、受信信号の電力レベルＬがしきい値ｔ２を超えているか否か（Ｌ＜ｔ２？）を判定し、判定結果をＣＰＵ８と利得可変回路２に出力する。なお、第１の選局回路３ａで歪みを発生させる信号強度の最小値をしきい値ｔ２として定めている。
受信信号の電力レベルＬがしきい値ｔ２未満の場合には、ステップＳ２０６ｂの処理に移行し、受信信号の電力レベルＬがしきい値ｔ２以上の場合には、ステップＳ２０６ａの処理に移行する。
【００３６】
ステップＳ２０６ｂでは、利得可変回路２の動作状態を利得大（利得＝１）の動作状態のまま維持し、ステップＳ２０７ｂの処理に移行する。
ステップＳ２０７ｂでは、受信信号の電力レベルＬがしきい値ｔ１′を超えているか否か（Ｌ＜ｔ１′？）を判定し、判定結果をＣＰＵ８と利得可変回路２に出力する。
受信信号の電力レベルＬがしきい値ｔ１′未満の場合には、ステップＳ２０２の処理に移行し、受信信号の電力レベルＬがしきい値ｔ１′以上の場合には、ステップＳ２０５の処理に戻る。
【００３７】
ステップＳ２０６ａでは、第１の選局回路３ａから利得可変回路２の動作状態を利得小にするよう制御が行なわれ、利得可変回路２は利得小の動作状態で機能する。即ち、利得可変回路２は、受信した高周波信号の電力レベルを減衰させて第１の選局回路３ａに出力し、第１の選局回路３ａにおける歪みの発生を抑える。この後、ステップＳ２０７ａに処理を移行する。
【００３８】
ステップＳ２０７ａでは、受信信号の電力レベルＬがしきい値ｔ２′を超えているか否か（Ｌ＜ｔ２′？）を判定し、判定結果をＣＰＵ８と利得可変回路２に出力する。
受信信号の電力レベルＬがしきい値ｔ２′未満の場合には、ステップＳ２０８の処理に移行し、受信信号の電力レベルＬがしきい値ｔ２′以上の場合には、ステップＳ２０７ａの処理を繰り返す。
ステップＳ２０８では、受信信号の電力レベルＬがしきい値ｔ１′を超えているか否か（Ｌ＜ｔ１′？）を判定し、判定結果をＣＰＵ８と利得可変回路２に出力する。
ステップ２０８では、ステップＳ２０７ｂと同様に、受信信号の電力レベルＬがしきい値ｔ１′を超えているか否か（Ｌ＜ｔ１′？）を判定し、判定結果をＣＰＵ８と利得可変回路２に出力する。
受信信号の電力レベルＬがしきい値ｔ１′未満の場合には、ステップＳ２０３の処理に移行し、受信信号の電力レベルＬがしきい値ｔ１′以上の場合には、ステップＳ２０５の処理に戻る。
【００３９】
なお、利得可変回路２の動作状態切替えは、チャタリング動作にならないように、ヒステリシス特性を持たせている。即ち、ステップＳ２０５における判定のしきい値ｔ２と、ステップＳ２０７ａの判定条件であるしきい値ｔ２′を設け、図３に示すように、しきい値の最小値には、ｔ２′＜ｔ２の関係を持たせている。
また、ダイバーシティ動作と非ダイバシティ動作にも同様にチャタリング動作にならないように、ヒステリシス特性を持たせている。即ち、ステップＳ２０３における判定のしきい値ｔ１と、ステップＳ２０７ｂ及びステップＳ２０８の判定条件であるしきい値ｔ１′を設け、図３に示すように、しきい値の最小値には、ｔ１′＜ｔ１の関係を持たせている。
図３において、横軸は、第１の選局回路３ａは受信信号の電力レベルを判定するために検出した信号電力の検出レベルであり、縦軸は受信装置の動作状態を示している。状態（１）は、受信装置が非ダイバーシティ動作であって、かつ検出された信号の電力レベルが大きく利得可変回路２の利得を小としている状態である。なお、この状態（１）は、図２におけるステップＳ２０６ａの状態である。また状態（２）は、受信装置が非ダイバーシティ動作であって、かつ検出された信号の電力レベルが小さく利得可変回路２の利得を大（利得＝１）としている状態である。なお、この状態（２）は、図２におけるステップＳ２０６ｂの状態である。更に、状態（３）は、受信装置がダイバーシティ動作であって、かつ検出された信号の電力レベルが小さく利得可変回路２の利得を大（利得＝１）としている状態である。なお、この状態（３）は、図２におけるステップＳ２０２の初期設定後の状態である。
なお、本実施例の説明では、図２の初期設定（ステップＳ２０２）で状態（３）とする場合について説明した。しかし、初期設定で設定する状態としては、状態（１）、（２）のいずれとした場合でも、本発明による効果を得ることができる。
【００４０】
以上説明した一連の動作により、デジタル放送用ダイバーシティ受信装置を受信信号の電力レベルに応じて適応的に動作させて、消費電力の低減を行なうことができる。更に、電力レベルが大きい場合にも歪みの発生による受信特性の劣化を防ぐことができ、受信信号のダイナミックレンジが広いデジタル放送受信機を提供することができる。
また好ましくは、本発明のダイバーシティ受信装置は、ダイバーシティ動作のために、選局回路、復調回路等を２系統備えているデジタル放送用ダイバーシティ受信装置において、第１の選局回路の前段に利得制御回路を配置する。この利得制御回路の利得は外部から入力される制御信号によって利得が変化する構成とするものである。
また好ましくは、第１の復調回路に入力信号の信号強度を判定する回路を設け、この判定回路の判定結果を元に利得制御回路の利得を制御する制御信号を生成し出力させる構成とするものである。
なお、上記実施例では、受信した信号の強さをその電力レベルを検出し検出した電力レベルで判定したが、電力レベルではなく、電圧等他の項目で判定しても良い。
【００４１】
上述の実施例によれば、高周波信号入力端子に入力される信号強度が、ある一定の値より大きいことが第１の復調回路内の判定回路により判定がなされた場合、利得制御回路の利得が小さくなるように制御信号が出力され、利得制御回路の利得が小さくなる。
この結果、第１の選局回路に入力される信号強度が最小化され、選局回路内で信号が歪を起こすことがなくなり、受信信号電界強度が大きくとも受信特性が劣化することがない好適な受信動作が実現される。
【産業上の利用可能性】
【００４２】
本発明は、ダイバーシティ受信機能を備えたデジタル放送用受信装置、車載用デジタル放送用受信装置のほか、家庭用デジタル放送用受信装置、携帯端末用デジタル放送用受信装置などに適用可能である。
【図面の簡単な説明】
【００４３】
【図１】本発明のダイバーシティ受信装置の一実施例の構成を示すブロック図。
【図２】本発明のダイバーシティ受信装置のチャネルサーチ機能の動作の一実施例を説明するためのフローチャート。
【図３】本発明のダイバーシティ受信装置のヒステリシス特性の一実施例を説明するための図。
【符号の説明】
【００４４】
１ａ、１ｂ：高周波信号入力端子、  ２：利得可変回路、  ３ａ、３ｂ：選局回路、３ｃ：判定回路、  ４ａ、４ｂ：復調回路、  ５：ダイバーシティ合成回路、  ６：信号処理回路、  ７：映像音声信号処理回路、  ８：ＣＰＵ、  ９ａ、９ｂ：受信回路、  １００：ダイバーシティ受信装置。
【図１】
2009182781.tif 000003
【図２】
2009182781.tif 000004
【図３】
2009182781.tif 000005